(57)【要約】      （修正有）【課題】日よけ効果及び通気性が良く、ユーザの快適性を有効に増加できる日よけ帽子を提供する。【解決手段】クラウン部３１を備える帽子構造を含み、クラウン部３１の基部には、前方に延びるツバ３２が設けられる日よけ帽子において、ツバ３２の両側から後方へ遮蔽体３３が設けられ、遮蔽体３３の内部には、少なくとも一本の撓み性付き糸３４が設けられる。【選択図】図４
0003179344.tif 000002
【実用新案登録請求の範囲】
【請求項１】
クラウン部（３１）を備える帽子構造（３）を含み、前記クラウン部（３１）の基部には、前方に延びるツバ（３２）が設けられる日よけ帽子において、
前記ツバ（３２）の両側から後方へ遮蔽体（３３）が設けられ、前記遮蔽体（３３）の内部には、少なくとも一本の撓み性付き糸（３４）が設けられることを特徴とする日よけ帽子。
【請求項２】
前記撓み性付き糸（３４）は、波状に屈折するように前記遮蔽体（３３）の内部に設けられることを特徴とする、請求項１に記載の日よけ帽子。
【請求項３】
前記撓み性付き糸（３４）は、円弧形を呈して同じ距離を置いているように前記遮蔽体（３３）の内部に設けられることを特徴とする、請求項１に記載の日よけ帽子。
【請求項４】
前記撓み性付き糸（３４）は、放射状を呈するように前記遮蔽体（３３）の内部に設けられることを特徴とする、請求項１に記載の日よけ帽子。
【請求項５】
前記撓み性付き糸（３４）は、網状を呈するように前記遮蔽体（３３）の内部に設けられることを特徴とする、請求項１に記載の日よけ帽子。
【請求項６】
前記クラウン部（３１）には、前記ツバ（３２）の反対側に係止部（３５）が設けられ、前記係止部（３５）により前記クラウン部（３１）の基部の長さを調整可能であることを特徴とする、請求項１から５の何れかに記載の日よけ帽子。
【考案の詳細な説明】
【技術分野】
【０００１】
本考案は、帽子に関し、特に、日よけ帽子に関するものである。
【背景技術】
【０００２】
市販している帽子は、種類が極めて多く、殆どが陽光を遮蔽するためのものである。従来の帽子にツバが設けられ、前記ツバにより陽光がユーザの顔に入射することを回避できるが、効果は不完全である。このため、あるメーカは図１に示した日よけ帽子１を開発した。日よけ帽子１は、本体１１の外縁に日よけ布１２を設けることにより、日よけの効果を増加できる。多くのユーザは、ゴルフをやっているとき、又は散歩や登山などのときに日よけ帽子１を被るが、日よけ帽子１の日よけ布１２はユーザのネックに貼り付けやすいため、ユーザが蒸し暑く感じる。そしてユーザの頭が前に傾斜しているときには、日よけ布１２が前方に移動してユーザの視線を遮蔽する問題があった。
【０００３】
このような問題を解決するために、図２及び図３に示した台湾特許Ｍ３９１３１１号の「帽子構造」が提案された。このような帽子構造は、クラウン部２１と、ツバ部２２と、撓み性付き糸２３と、から構成される。ツバ部２２はクラウン部２１の基部と連接する。撓み性付き糸２３はツバ部２２の下方の周縁に設けられる。クラウン部２１とツバ部２２から帽子本体２が構成される。撓み性付き糸２３の塑性により、ツバ部２２を各造形に屈折できる。しかしながら、ツバ部２２の周縁だけに撓み性付き糸２３を設けると、屈折の固定力が不足であり、台風や降水の場合には、図３に示すように、ツバ部２２の造形が崩れる問題があった。
【考案の概要】
【考案が解決しようとする課題】
【０００４】
本考案の主な目的は、日よけ効果及び通気性が良く、ユーザの快適性を有効に増加できる日よけ帽子を提供することにある。
【課題を解決するための手段】
【０００５】
本考案の日よけ帽子によると、クラウン部３１を備える帽子構造３を含み、クラウン部３１の基部には、前方に延びるツバ３２が設けられる日よけ帽子において、
ツバ３２の両側から後方へ遮蔽体３３が設けられ、遮蔽体３３の内部には、少なくとも一本の撓み性付き糸３４が設けられることを特徴とする。
【０００６】
本考案の日よけ帽子によると、撓み性付き糸３４は、波状に屈折するように遮蔽体３３の内部に設けられることを特徴とする。
【０００７】
本考案の日よけ帽子によると、撓み性付き糸３４は、円弧形を呈して同じ距離を置いているように遮蔽体３３の内部に設けられることを特徴とする。
【０００８】
本考案の日よけ帽子によると、撓み性付き糸３４は、放射状を呈するように遮蔽体３３の内部に設けられることを特徴とする。
【０００９】
本考案の日よけ帽子によると、撓み性付き糸３４は、網状を呈するように遮蔽体３３の内部に設けられることを特徴とする。
【００１０】
本考案の日よけ帽子によると、クラウン部３１には、ツバ３２の反対側に係止部３５が設けられ、係止部３５によりクラウン部３１の基部の長さを調整可能であることを特徴とする。
【考案の効果】
【００１１】
本考案の日よけ帽子によれば、次のような効果がある。
（１）ツバを有する帽子構造に遮蔽体を増設することにより、ユーザのネック部及び顔部を有効に遮蔽できる。一方、遮蔽体は、ツバの両側から後方に延びるため、より広い遮蔽面積を形成でき、そしてユーザの視線を遮蔽することはない。
【００１２】
（２）従来の日よけ帽子は、クラウン部の基部の周縁にツバが環状に設けられるため、ユーザは帽子の前後を判別できない。本考案の日よけ帽子は、帽子本体の前にツバを設けて、帽子本体の後に遮蔽体を設けるため、ユーザは帽子の前後を容易に判別できる。
【００１３】
（３）本考案の撓み性付き糸が遮蔽体の全部に敷き詰められるため、遮蔽体を各種類の造形に屈折した後、撓み性付き糸が極めて良い固定力を有する。また、ユーザは、陽光の方向によって遮蔽体の遮蔽位置を適当に調整でき、陽光の入射がない箇所では、遮蔽体を巻起こすことができ、これにより、通気性が更に良くなる。
【図面の簡単な説明】
【００１４】
【図１】従来の日よけ帽子の使用状態を示す模式図である。
【図２】台湾特許Ｍ３９１３１１号の使用状態を示す模式図である。
【図３】図２の作動を示す模式図である。
【図４】本考案の実施例１を示す斜視図である。
【図５】図４の別の視点から見た斜視図である。
【図６】図４の平面図である。
【図７】本考案の実施例１の使用状態を示す模式図である。
【図８】本考案の実施例２を示す模式図である。
【図９】本考案の実施例３を示す模式図である。
【図１０】本考案の実施例４を示す模式図である。
【図１１】本考案の実施例５を示す模式図である。
【考案を実施するための最良の形態】
【００１５】
以下、本考案の実施の形態を図面に基づいて説明する。
図４乃至図６を参照する。図４は本考案の実施例１を示す斜視図であり、図５は図４の別の視点から見た斜視図であり、図６は図４の平面図である。本考案の実施例１の日よけ帽子は、クラウン部３１を備える帽子構造３を含み、クラウン部３１の基部には、前方に延びるツバ３２が設けられる。ツバ３２の両側から後方へ、面積がツバ３２よりも広い遮蔽体３３が設けられる。遮蔽体３３の内部には、少なくとも一本の撓み性付き糸３４が設けられる。実施例１では、撓み性付き糸３４が波状に屈折するように遮蔽体３３の内部に設けられる。撓み性付き糸３４により、遮蔽体３３の造形を固定するための固定力は良くなる。撓み性付き糸３４は、裁縫技術により固定される。クラウン部３１には、図５に示すように、ツバ３２の反対側に係止部３５が設けられ、係止部３５によりユーザの頭の大きさによってクラウン部３１の基部の長さを調整可能である。
【００１６】
図７を参照する。図７は本考案の実施例１の使用状態を示す模式図である。本考案の実施例１では、ツバ３２の両側から後方へ、面積がツバ３２よりも広い遮蔽体３３が設けられるため、遮蔽体３３のツバと連接する箇所でサイド遮蔽部３３１が形成される。サイド遮蔽部３３１により、陽光はユーザの目に入射することができない。本考案の実施例１の日よけ帽子によれば、ユーザは、陽光の方向によって遮蔽体３３の遮蔽位置を適当に調整でき、陽光の入射がない箇所では、遮蔽体３３を巻起こすことができ、これにより、通気性が更に良くなる。また、撓み性付き糸３４が波状に屈折するように遮蔽体３３の内部に設けられるため、台風や降水などの場合には、遮蔽体３３の屈折の固定力が充分であり、遮蔽体３３の造形が崩れることはない。
【００１７】
図８を参照する。図８は本考案の実施例２を示す模式図である。実施例２では、撓み性付き糸３４ａは、帽子構造３に設けられるツバ３３の状況によって、撓み性付き糸３４ａの屈折の大きさを調整できる。実施例２では、屈折の程度が実施例１よりも小さい撓み性付き糸３４ａが使用される。図９を参照する。図９は本考案の実施例３を示す模式図である。実施例３では、撓み性付き糸３４が円弧形を呈して同じ距離を置いているように遮蔽体３３の内部に設けられる。図１０を参照する。図１０は本考案の実施例４を示す模式図である。実施例４では、撓み性付き糸３４が放射状を呈するように遮蔽体３３の内部に設けられる。図１１は本考案の実施例５を示す模式図である。実施例５では、撓み性付き糸３４が網状を呈するように遮蔽体３３の内部に設けられる。
【００１８】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１９】
本考案は、日よけ帽子に適用することができる。
【符号の説明】
【００２０】
１：日よけ帽子
２：帽子本体
３：帽子構造
１１：本体
１２：日よけ布
２１：クラウン部
２２：ツバ部
２３：撓み性付き糸
３１：クラウン部
３２：ツバ
３３：遮蔽体
３４：撓み性付き糸
３４ａ：撓み性付き糸
３４ｂ：撓み性付き糸
３４ｃ：撓み性付き糸
３４ｄ：撓み性付き糸
３５：係止部
３３１：サイド遮蔽部
【図１】
0003179344.tif 000003
【図２】
0003179344.tif 000004
【図３】
0003179344.tif 000005
【図４】
0003179344.tif 000006
【図５】
0003179344.tif 000007
【図６】
0003179344.tif 000008
【図７】
0003179344.tif 000009
【図８】
0003179344.tif 000010
【図９】
0003179344.tif 000011
【図１０】
0003179344.tif 000012
【図１１】
0003179344.tif 000013